(57)【要約】【課題】使い勝手を改善しつつ、張設されるパーティションベルトの高さ調整が可能なベルトパーティションスタンドを提供すること。【解決手段】本発明のベルトパーティションスタンドＡ１は、床面に載置されるベース１と、このベース１に対して単独で、もしくは相互に軸方向に連結した状態で連結された１または複数本の支柱部材２１，２２からなる支柱２と、支柱２に連結され、かつ、繰り出し可能に巻回されたパーティションベルト３２を収納するベルト収納ヘッド３と、を備える。【選択図】図１
2011122315.tif 000002
【特許請求の範囲】
【請求項１】
床面に載置されるベースと、このベースに対して単独で、もしくは相互に軸方向に連結した状態で連結された１または複数本の支柱部材からなる支柱と、上記支柱に連結され、かつ、繰り出し可能に巻回されたパーティションベルトを収納するベルト収納ヘッドと、を備えることを特徴とする、ベルトパーティションスタンド。
【請求項２】
軸方向に隣接する２つの上記支柱部材間に介装され、かつ、繰り出し可能に巻回されたパーティションベルトを収納する追加のベルト収納ヘッドをさらに備える、請求項１に記載のベルトパーティションスタンド。
【請求項３】
上記ベースと上記支柱部材、上記支柱部材どうし、および上記支柱部材と上記ベルト収納ヘッドは、それぞれ、ネジ機構によって連結されている、請求項１または２に記載のベルトパーティションスタンド。
【請求項４】
上記支柱部材は、軸方向下端部の周縁から下垂するスカート部と、軸方向上端部から立ち上がる筒軸部とを有し、
上記支柱部材どうしの連結時には、１の上記支柱部材の上記スカート部が他の上記支柱部材の筒軸部に外嵌される、請求項１ないし３のいずれかに記載のベルトパーティションスタンド。
【請求項５】
床面に設置されるベースと、一端部と他端部とをもつ第１の支柱部材と、一端部と他端部とをもつ第２の支柱部材と、一端部と他端部とをもち、繰り出し可能に巻回されたパーティションベルトを収納するベルト収納ヘッドと、を備えており、
上記第１の支柱部材は、その一端部が上記ベースと、上記第２の支柱部材の他端部とのいずれにも連結可能であるとともに、その他端部が上記ベルト収納ヘッドの一端部に連結可能であり、
上記第２の支柱部材は、その一端部が上記ベースと、他の上記第２の支柱部材の他端部とのいずれにも連結可能であり、
上記ベースに対し、これに接続された０本、１本または相互に連結された複数本の上記第２の支柱部材を介して、上記第１の支柱部材および上記ベルト収納ヘッドを連結し、上記ベルト収納ヘッドの高さ調整を可能としたことを特徴とする、ベルトパーティションスタンド。
【発明の詳細な説明】
【技術分野】
【０００１】
本発明は、床面等に設置され、ベルト収納ヘッドから繰り出されたパーティションベルトを相互間に張設して歩行者の通路の規制などをするためのベルトパーティションスタンドに関する。
【背景技術】
【０００２】
従来、金融機関やイベント会場などの様々な施設において、歩行者の通路規制などを行うために、ベルトパーティションスタンドが使用されている。ベルトパーティションスタンドは、一般に、床面に載置されるベースと、このベース上に垂直起立状に設けられた支柱と、支柱の上端に設けられたベルト収納ヘッドとを備えている（たとえば、特許文献１を参照）。特許文献１に開示されたベルトパーティションスタンドにおいては、ベルト収納ヘッド（第２のパイプ４）には、同文献の図１に表れているように、繰り出し可能な状態で巻軸（２０）に巻回されたパーティションベルト（２１）が収納されている。パーティションベルト（２１）は、付勢手段によって巻き取り方向に付勢されている。
【０００３】
ベルトパーティションスタンドの使用時には、パーティションベルト（２１）を繰り出し、当該ベルト（２１）の先端部に設けられたベルトエンド（２９）を、他のベルトパーティションスタンドのベルト収納ヘッドに設けられたベルトエンド受け部（３２）に係止する。これにより、パーティションベルト（２１）は、隣接するベルトパーティションスタンドの相互間に張設され、歩行者の通路規制などを行うことができる。
【０００４】
しかしながら、上記従来のベルトパーティションスタンドにおいては、ベルト収納ヘッドの高さが大人の腰の周辺にあり、支柱の長さが比較的に長尺である。このため、物流保管時や輸送時、収納時などにおいて取り扱いの面で不便な場合があった。また、大人の腰の高さあたりに張設されたパーティションベルトでは、たとえば子供が当該ベルトの下を容易にくぐることができ、通路規制などの所期の目的を充分に達し得ない場合があった。
【先行技術文献】
【特許文献】
【０００５】
【特許文献１】実用新案登録第３００８７６２号公報
【発明の概要】
【発明が解決しようとする課題】
【０００６】
本発明は、このような事情のもとで考え出されたものであって、使い勝手を改善しつつ、張設されるパーティションベルトの高さ調整が可能なベルトパーティションスタンドを提供することを課題とする。
【課題を解決するための手段】
【０００７】
上記の課題を解決するため、本発明では、次の技術的手段を講じている。
【０００８】
本発明の第１の側面によって提供されるベルトパーティションスタンドは、床面に載置されるベースと、このベースに対して単独で、もしくは相互に軸方向に連結した状態で連結された１または複数本の支柱部材からなる支柱と、上記支柱に連結され、かつ、繰り出し可能に巻回されたパーティションベルトを収納するベルト収納ヘッドと、を備えることを特徴としている。
【０００９】
このような構成のベルトパーティションスタンドによれば、ベースとベルト収納ヘッドとの間をつなぐ支柱については、相互に連結可能な支柱部材によって構成されている。そして、この支柱部材を、単独もしくは複数本連結した状態を選択して使用することにより、支柱の全長を変更することができ、支柱の上端に連結されたベルト収納ヘッドの高さ調整が可能となる。したがって、上記構成によれば、使用する支柱部材の数量を適宜選択することによって、ベルト収納ヘッドから繰り出して張設されるパーティションベルトの高さ調整を簡単に行うことができる。
【００１０】
また、上記構成のベルトパーティションスタンドによれば、支柱部材を分離することができるため、物流保管時や輸送時コストの削減を図れ、また収納時などにスペースを取らず、取り扱いの面で便利である。
【００１１】
好ましい実施の形態においては、軸方向に隣接する２つの上記支柱部材間に介装され、かつ、繰り出し可能に巻回されたパーティションベルトを収納する追加のベルト収納ヘッドをさらに備える。このような構成によれば、支柱の上端に連結されたベルト収納ヘッドと、複数の支柱部材の中間に介装された追加のベルト収納ヘッドとによって、高さの異なる２箇所にパーティションベルトを張設することができる。したがって、高さの異なる２箇所に張設されたパーティションベルトによって、たとえば大人や子供といった身丈の異なる歩行者の通路規制を同時かつ適切に行うことができる。
【００１２】
好ましい実施の形態においては、上記ベースと上記支柱部材、上記支柱部材どうし、および上記支柱部材と上記ベルト収納ヘッドは、それぞれ、ネジ機構によって連結されている。このような構成によれば、各部材の連結を簡単かつ的確に行うことができる。
【００１３】
好ましい実施の形態においては、上記支柱部材は、軸方向下端部の周縁から下垂するスカート部と、軸方向上端部から立ち上がる筒軸部とを有し、上記支柱部材どうしの連結時には、１の上記支柱部材の上記スカート部が他の上記支柱部材の筒軸部に外嵌される。このような構成によれば、複数本の支柱部材の連結部について、軸方向と交差する方向（曲げ方向）において高い剛性を確保することができる。
【００１４】
本発明の第２の側面によって提供されるベルトパーティションスタンドは、床面に設置されるベースと、一端部と他端部とをもつ第１の支柱部材と、一端部と他端部とをもつ第２の支柱部材と、一端部と他端部とをもち、繰り出し可能に巻回されたパーティションベルトを収納するベルト収納ヘッドと、を備えており、上記第１の支柱部材は、その一端部が上記ベースと、上記第２の支柱部材の他端部とのいずれにも連結可能であるとともに、その他端部が上記ベルト収納ヘッドの一端部に連結可能であり、上記第２の支柱部材は、その一端部が上記ベースと、他の上記第２の支柱部材の他端部とのいずれにも連結可能であり、上記ベースに対し、これに接続された０本、１本または相互に連結された複数本の上記第２の支柱部材を介して、上記第１の支柱部材および上記ベルト収納ヘッドを連結し、上記ベルト収納ヘッドの高さ調整を可能としたことを特徴としている。
【００１５】
本発明のその他の特徴および利点は、添付図面を参照して以下に行う詳細な説明によって、より明らかとなろう。
【図面の簡単な説明】
【００１６】
【図１】本発明に係るベルトパーティションスタンドの一例を示す正面図である。
【図２】図１に示すベルトパーティションスタンドの分解正面図である。
【図３】図２の拡大部分断面図である。
【図４】図１の拡大部分断面図である。
【図５】図１に示すベルトパーティションスタンドの平面図である。
【図６】本発明に係るベルトパーティションスタンドの他の例を示す正面図である。
【図７】本発明に係るベルトパーティションスタンドの他の例を示す正面図である。
【図８】本発明に係るベルトパーティションスタンドの他の例を示す正面図である。
【図９】図８の拡大部分断面図である。
【図１０】本発明に係るベルトパーティションスタンドの他の例を示す正面図である。
【図１１】本発明に係るベルトパーティションスタンドの他の例を示す正面図である。
【発明を実施するための形態】
【００１７】
以下、本発明の好ましい実施の形態について、図面を参照して具体的に説明する。
【００１８】
図１〜図５は、本発明に係るベルトパーティションスタンドの一例を示している。図１に示すように、本実施形態のベルトパーティションスタンドＡ１は、ベース１と、このベース１に対して起立状に連結される支柱２と、支柱２に連結されるベルト収納ヘッド３と、を備えている。
【００１９】
ベース１は、床面に載置される部材であり、平面視略円形の板状とされている（図５参照）。図２に表れているように、ベース１の上面中央には、溶接あるいは植込みなどの適宜手段によってボルト１１が立設されている。なお、図５に表れているように、ベース１には、一定幅の切欠き１２が形成されている。この切欠き１２の幅寸法は、後述する支柱部材２１，２２の胴部２１０，２２０の外径よりも少し大とされている。
【００２０】
支柱２は、複数の支柱部材を連結して構成されたものであり、より具体的には、２本の支柱部材２１と、１本の支柱部材２２とを含んでいる。図３によく表れているように、支柱部材２１（第２の支柱部材）は、中空円筒状の胴部２１０を備え、この胴部２１０の一端部（図中下端部）の中央には、取付コア２１１を介してナット２１２が取り付けられている。取付コア２１１は、胴部２１０の内面に対して溶接などの適宜手段によって固定されている。また、取付コア２１１は、胴部２１０の下端から軸方向に所定寸法離間した位置に取り付けられており、胴部２１０のうち取付コア２１１から下垂する部分がスカート部２１３となっている。ナット２１２は、取付コア２１１に対し、たとえば溶接によって固着されている。
【００２１】
胴部２１０の他端部（図中上端部）の中央には、取付コア２１４を介してボルト２１５が取り付けられている。取付コア２１４は、胴部２１０の内面に対して溶接などの適宜手段によって固定されている。また、胴部２１０の上端部は、絞り加工が施されることにより、他の部分よりも小径である筒軸部２１６とされている。そして、筒軸部２１６の外径寸法は、スカート部２１３の内径寸法よりもわずかに小とされている。なお、胴部２１０の軸方向における長さは、たとえば２５〜３０ｃｍ程度とされる。
【００２２】
図４に表れているように、２本の支柱部材２１のうち下側の支柱部材２１は、ベース１のボルト１１をナット２１２に螺合することによって、ベース１に連結される。また、上側の支柱部材２１は、下端部のナット２１２に下側の支柱部材２１のボルト２１５を螺合することによって、下側の支柱部材２１に連結される。
【００２３】
図３に表れているように、支柱部材２２（第１の支柱部材）は、中空円筒状の胴部２２０を備え、この胴部２２０の一端部（図中下端部）の中央には、取付コア２２１を介してナット２２２が取り付けられている。取付コア２２１は、胴部２２０の内面に対して溶接などの適宜手段によって固定されている。また、取付コア２２１は、胴部２２０の下端から軸方向に所定寸法離間した位置に取り付けられており、胴部２２０のうち取付コア２２１から下垂する部分がスカート部２２３となっている。ナット２２２は、取付コア２２１に対し、たとえば溶接によって固着されている。支柱部材２２の下端部は、支柱部材２１の下端部と同一の構造とされている。
【００２４】
胴部２２０の他端部（図中上端部）の中央には、取付コア２２４を介してナット２２５が取り付けられている。取付コア２２４は、胴部２２０の内面に対して溶接などの適宜手段によって固定されている。なお、胴部２２０の軸方向における長さは、たとえば２５〜３０ｃｍ程度とされる。
【００２５】
図４に表れているように、支柱部材２２は、下端部のナット２２２に上側の支柱部材２１のボルト２１５を螺合することによって、上側の支柱部材２１に連結される。また、支柱部材２２の下端部は支柱部材２１の下端部と同一構造であるため、支柱部材２２は、下端部のナット２２２にベース１のボルト１１を螺合することによって、ベース１に連結することも可能である（図７参照）。
【００２６】
図２および図３に表れているように、ベルト収納ヘッド３は、円筒状の外筒３１と、この外筒３１内に収納されたパーティションベルト３２と、外筒３１の下端中央に植設されたボルト３３とを備える。図４に表れているように、ベルト収納ヘッド３は、ボルト３３を支柱部材２２のナット２２５に螺合することによって、支柱部材２２に連結される。なお、外筒３１の軸方向における長さは、たとえば１５ｃｍ程度とされる。
【００２７】
外筒３１内部の詳細な図示は省略するが、パーティションベルト３２は、たとえば、その基端部が外筒３１内に設けられたリールの巻軸に固定され、かつベルト全体がこの巻軸に巻回されており、付勢手段によって巻き取り方向に付勢されている。また、図５に表れているように、パーティションベルト３２は、外筒３１に設けられたスリット状のベルト導出部３１１を通じて外筒３１の外部に繰り出し可能とされており、パーティションベルト３２の先端部には、ベルトエンド３２１が設けられている。ベルトエンド３２１は、概略円柱状とされており、このベルトエンド３２１の下端から上端近傍にかけて横断面Ｔ字状の溝３２１ａが形成されている。なお、上記のようなパーティションベルト３２が繰り出し可能に収納される構造自体は、周知の技術（たとえば実用新案登録第３００８７６２号公報に記載の技術）によって実現される。
【００２８】
外筒３１の外面には、複数のベルトエンド受け部３１２が設けられている。これらベルトエンド受け部３１２は、ベルト導出部３１１に対して外筒３１の周方向に９０°ずつずれた３箇所に位置している。各ベルトエンド受け部３１２は、軸方向に沿って一定長さ延びるようにして横断面Ｔ字状に形成されており、ベルトエンド３２１の溝３２１ａに嵌合可能となっている。ベルトパーティションスタンドＡ１の使用時には、パーティションベルト３２を繰り出すとともに、当該ベルト３２のベルトエンド３２１の溝３２１ａに他のベルトパーティションスタンドＡ１のベルトエンド受け部３１２を嵌合させる。これにより、隣接するベルトパーティションスタンドＡ１の相互間にパーティションベルト３２を張設することができる。
【００２９】
図１〜図５に示されたベルトパーティションスタンドＡ１において、支柱２は、合計３本の支柱部材２１，２１，２２が相互に軸方向に連結されて構成されている。一方、図６に表れているベルトパーティションスタンドＡ２は、支柱２を合計２本の支柱部材２１，２２によって構成した場合を示し、図７に表れているベルトパーティションスタンドＡ３は、支柱２を単独の支柱部材２２によって構成した場合を示す。これらベルトパーティションスタンドＡ１，Ａ２，Ａ３を対比すると理解できるように、支柱２を構成する支柱部材２１，２２を、単独もしくは複数本連結した状態を選択して使用することにより、支柱２の全長を変更することができ、支柱２の上端に連結されたベルト収納ヘッド３の高さ調整が可能となる。したがって、上記構成のベルトパーティションスタンドＡ１，Ａ２，Ａ３によれば、使用する支柱部材２１の数量を適宜選択することによって、ベルト収納ヘッド３から繰り出して張設されるパーティションベルト３２の高さ調整を簡単に行うことができる。たとえば、ベルトパーティションスタンドＡ１は、ベルト収納ヘッド３が比較的高い位置にあるため、大人を対象とした通路規制に好適に用いられる。これに対し、ベルトパーティションスタンドＡ２，Ａ３は、ベルト収納ヘッド３が比較的低い位置にあるため、子供を対象とした通路規制に好適に用いられる。
【００３０】
また、上記構成のベルトパーティションスタンドＡ１〜Ａ３によれば、支柱部材２１，２２を分離した状態で保管することができるので、収納・保管時などにスペースを取らず、取り扱いの面で便利である。このように省スペース化を図ることができるベルトパーティションスタンドＡ１〜Ａ３によればまた、物流過程での取り扱いが容易であり、物流コストの削減も期待できる。
【００３１】
上記構成のベルトパーティションスタンドＡ１〜Ａ３においては、ベース１と支柱部材２１（２２）、支柱部材２１，２１（２１，２２）どうし、支柱部材２２とベルト収納ヘッド３は、それぞれ、ネジ機構によって連結されている。したがって、各部材の連結を簡単かつ的確に行うことができる。
【００３２】
さらに、本実施形態では、図４に表れているように、支柱部材２１，２１（２１，２２）どうしの連結時には、１の支柱部材２１（２２）のスカート部２１３（２２３）が他の支柱部材２１の筒軸部２１６に外嵌される。このような構成によれば、複数本の支柱部材２１，２２の連結部について、軸方向と交差する方向（曲げ方向）において高い剛性を確保することができる。
【００３３】
なお、ベルトパーティションスタンドＡ１〜Ａ３においては、ベース１に形成された切欠き１２に他のベルトパーティションスタンドＡ１〜Ａ３の支柱部材２１，２２を進入させることにより、スタッキング状態とすることができる。したがって、複数のベルトパーティションスタンドＡ１〜Ａ３を、各部材を連結したまま収納する場合において、収納場所をあまりとらなくても済む。
【００３４】
図８〜図１１は、本発明に係るベルトパーティションスタンドの他の例を示す。なお、同図においては、上記実施形態と同一または類似の要素には、同一の符号を付しており、適宜説明を省略する。
【００３５】
図８および図９に示されたベルトパーティションスタンドＡ４においては、ベルト収納ヘッド３’が追加的に設けられている点において、上記実施形態のベルトパーティションスタンドＡ１〜Ａ３と異なっている。ベルトパーティションスタンドＡ４においては、支柱２は２本の支柱部材２２によって構成されており、ベルト収納ヘッド３’は、軸方向に隣接する２つの支柱部材２２間に介装されている。ベルト収納ヘッド３’は、外筒３１の上端中央にボルト３４が追加的に設けられている点において、支柱２の上端に連結されたベルト収納ヘッド３と異なっている。上側の支柱部材２２は、下端部に設けられたナット２２２にベルト収納ヘッド３’のボルト３４が螺合されることによって、ベルト収納ヘッド３’に連結されている。
【００３６】
本実施形態のベルトパーティションスタンドＡ４においては、支柱２の上端に連結されたベルト収納ヘッド３と、複数の支柱部材２２の中間に介装された追加のベルト収納ヘッド３’とによって、高さの異なる２箇所にパーティションベルト３２を張設することができる。したがって、高さの異なる２箇所に張設されたパーティションベルト３２によって、たとえば大人や子供といった身丈の異なる歩行者の通路規制を同時かつ適切に行うことができる。
【００３７】
図１０および図１１に示されたベルトパーティションスタンドＡ５，Ａ６においては、図６および図７を参照して上述したベルトパーティションスタンドＡ２，Ａ３と比べて、他の部材が追加的に設けられている。
【００３８】
図１０のベルトパーティションスタンドＡ５は、図６のベルトパーティションスタンドＡ２に対し、灰皿４が追加されている。より具体的には、ベルトパーティションスタンドＡ５におけるベルト収納ヘッド３”は、外筒３１の上端中央にボルト３５が設けられており、図８および図９を参照して上述したベルトパーティションスタンドＡ４のベルト収納ヘッド３’と実質的に同一構造である。灰皿４の下端中央には、図示しないナットが設けられており、ベルト収納ヘッド３”のボルト３５を当該ナットに螺合することにより、灰皿４はベルト収納ヘッド３”の上部に連結される。
【００３９】
図１１のベルトパーティションスタンドＡ６は、図７のベルトパーティションスタンドＡ３に対し、継ぎ足し部材５を介して表示板６が追加されている。より具体的には、ベルトパーティションスタンドＡ６におけるベルト収納ヘッド３”は、外筒３１の上端中央にボルト３５が設けられており、図８および図９を参照して上述したベルトパーティションスタンドＡ４のベルト収納ヘッド３’と実質的に同一構造である。継ぎ足し部材５は、下端中央および上端中央のそれぞれに図示しないナットを有し、支柱部材２２と実質的に同一構造である。継ぎ足し部材５は、下端のナットにベルト収納ヘッド３”のボルト３５を螺合することにより、ベルト収納ヘッド３”に連結される。表示板６の下端中央には、ボルト６１が設けられている。表示板６は、継ぎ足し部材５の上端のナットにボルト６１を螺合することにより、継ぎ足し部材５に連結される。このように、表示板６は、継ぎ足し部材５を介して、ベルト収納ヘッド３”の上部に連結される。なお、ベルト収納ヘッド３”の上部に連結される部材については、上記の灰皿や表示板に限定されるものではない。
【００４０】
以上、本発明の具体的な実施形態を説明したが、本発明はこれに限定されるものではなく、発明の思想から逸脱しない範囲内で種々な変更が可能である。本発明に係るベルトパーティションスタンドの各部の具体的な形状や材質なども、上記実施形態に限定されるものではない。
【００４１】
たとえば、支柱部材２２（第１の支柱部材）について、下端部（一端部）と上端部（他端部）とを同一の構造としてもよい。この場合、上下の方向性を有さないことから、支柱部材２２の上下を入れ換えても、支柱部材２１またはベース１と、ベルト収納ヘッド３との間に介装させることができ、使い勝手がよい。
【００４２】
各部材の連結部のネジ機構について、ボルト・ナットの関係を変更してもよい。また、たとえば、支柱の上端に位置する支柱部材については、上端部にナットに代えてボルトを設け、ベルト収納ヘッドについては、下端にボルトに代えてナットを設けて、支柱部材の上端のボルトをベルト収納ヘッドのナットに螺合することにより、支柱部材とベルト収納ヘッドとを連結するようにしてもよい。この場合、複数の支柱部材すべてについて同一の構造とすることができ、支柱部材の管理が容易となる。
【００４３】
さらに、各部材の連結部構造として、ネジ機構以外の他の構造を採用してもよい。
【符号の説明】
【００４４】
Ａ１，Ａ２，Ａ３，Ａ４，Ａ５，Ａ６    ベルトパーティションスタンド
１        ベース
２        支柱
３，３”    ベルト収納ヘッド
３’      ベルト収納ヘッド（追加のベルト収納ヘッド）
４        灰皿
５        継ぎ足し部材
６        表示板
２１      支柱部材（第２の支柱部材）
２２      支柱部材（第１の支柱部材）
３１      外筒
３２      パーティションベルト
２１３，２２３    スカート部
２１６    筒軸部
【図１】
2011122315.tif 000003
【図２】
2011122315.tif 000004
【図３】
2011122315.tif 000005
【図４】
2011122315.tif 000006
【図５】
2011122315.tif 000007
【図６】
2011122315.tif 000008
【図７】
2011122315.tif 000009
【図８】
2011122315.tif 000010
【図９】
2011122315.tif 000011
【図１０】
2011122315.tif 000012
【図１１】
2011122315.tif 000013